(57)【要約】【課題】再生されるコンテンツの各々について、ユーザが好む音響効果を得るための音響処理を指定するパラメータを設定しやすくする。【解決手段】複数の音響再生装置２０の各々は、ＤＳＰ２５に対して、操作により入力されたＤＳＰパラメータ、又はサーバ装置１０から通知されたＤＳＰパラメータを設定する。音響再生装置２０は、設定したＤＳＰパラメータを特定するパラメータ情報を、このＤＳＰパラメータにより音響処理が施された音響コンテンツのメタデータと対応付けて、サーバ装置１０へ送信する。サーバ装置１０は、受信したパラメータ情報に基づいて、メタデータと対応付けて、複数の音響再生装置２０におけるＤＳＰパラメータの設定状況を音響データベース１３１で管理する。サーバ装置１０は、音響再生装置２０における再生対象の音響コンテンツ２４１に関する設定状況に応じて、設定すべきＤＳＰパラメータを、音響再生装置２０に通知する。【選択図】図２
2016066832.tif 000002
【特許請求の範囲】
【請求項１】
再生したコンテンツの音響信号に、所定の音響処理を施す音響処理手段に対して、前記音響処理を指定するパラメータを設定する音響制御装置であって、
再生対象のコンテンツを指定して、前記パラメータを入力する操作を受け付ける入力受付手段と、
複数の音響制御装置における前記パラメータの設定状況を、当該パラメータにより前記音響処理が施されたコンテンツのメタデータと対応付けてデータベースで管理するサーバ装置と通信し、前記再生対象のコンテンツに関する前記パラメータを受け付ける受付手段と、
前記入力されたパラメータ、又は前記サーバ装置から受け付けたパラメータを、前記音響処理手段に対して設定する設定手段と、
設定された前記パラメータを特定するパラメータ情報を、前記コンテンツのメタデータと対応付けて、所定のタイミングで前記サーバ装置へ送信する送信手段と
を備える音響制御装置。
【請求項２】
前記サーバ装置から受け付けた前記パラメータの選択肢を提示する提示手段と、
提示された前記選択肢の中から、前記設定手段に設定させる前記パラメータの選択肢を選択する操作を受け付ける選択受付手段と
を備え、
前記提示手段は、
前記再生対象のコンテンツの再生環境に応じて、前記パラメータの選択肢の提示を変化させる
ことを特徴とする請求項１に記載の音響制御装置。
【請求項３】
前記メタデータとして、コンテンツの識別子と、当該コンテンツの属性情報とがあり、
前記サーバ装置から受け付けた前記パラメータの選択肢を提示する提示手段と、
提示された前記選択肢の中から、前記設定手段に設定させる前記パラメータの選択肢を選択する操作を受け付ける選択受付手段と
を備え、
前記提示手段は、
前記データベースにおいて、前記再生対象のコンテンツの識別子に対応付けられた前記パラメータの選択肢を、前記属性情報に対応付けられた前記パラメータの選択肢よりも優先して、提示する
ことを特徴とする請求項１又は請求項２に記載の音響制御装置。
【請求項４】
再生したコンテンツの音響信号に、所定の音響処理を施す音響処理手段に対して、操作により入力された、又は自サーバ装置が通知した前記音響処理を指定するパラメータを設定する複数の音響制御装置の各々と、ネットワークを介して接続されるサーバ装置であって、
前記複数の音響制御装置の各々から、設定した前記パラメータを特定するパラメータ情報を、前記コンテンツのメタデータと対応付けて受信する受信手段と、
前記受信された前記パラメータ情報に基づいて、前記メタデータと対応付けて、前記複数の音響制御装置における前記パラメータの設定状況を、データベースで管理するデータベース管理手段と、
前記複数の音響制御装置における、再生対象のコンテンツを特定する特定手段と、
前記データベースを参照して、特定された前記再生対象のコンテンツに関する前記パラメータの設定状況に応じて、前記パラメータを、前記複数の音響制御装置に通知する通知手段と
を備えるサーバ装置。
【請求項５】
再生したコンテンツの音響信号に、所定の音響処理を施す音響処理手段に対して、前記音響処理を指定するパラメータを設定する音響制御装置のコンピュータに、
再生対象のコンテンツを指定して、前記パラメータを入力する操作を受け付けるステップと、
複数の音響制御装置における前記パラメータの設定状況を、当該パラメータにより前記音響処理が施されたコンテンツのメタデータと対応付けてデータベースで管理するサーバ装置と通信し、前記再生対象のコンテンツに関する前記パラメータを受け付けるステップと、
前記入力されたパラメータ、又は前記サーバ装置から受け付けたパラメータを、前記音響処理手段に対して設定するステップと、
前記設定された前記パラメータを特定するパラメータ情報を、前記コンテンツのメタデータと対応付けて、所定のタイミングで前記サーバ装置へ送信するステップと
を実行させるためのプログラム。
【発明の詳細な説明】
【技術分野】
【０００１】
本発明は、音響処理を指定するパラメータの設定に関する。
【背景技術】
【０００２】
デジタルオーディオを扱うシステムでは、ＡＶアンプ等の音響機器に搭載されたデジタルシグナルプロセッサ（ＤＳＰ：Digital Signal Processor）を用いて、再生した音響信号に、種々の音響処理が施される。しかし、この音響処理を指定するパラメータの制御には、専門的な知識を要する。このため、音響に関する知識が十分でないユーザは、このパラメータをどのように制御すれば、どのような音響効果が得られるのかを、感覚的に認識することが難しい。特許文献１には、ユーザによるＤＳＰパラメータの制御を容易にするための技術が記載されている。特許文献１に記載の技術では、サーバ装置のデータベースに、音声コンテンツ毎に音場処理設定情報が予め記憶されている。コンテンツ再生装置は、このサーバ装置から、再生しようとする音声コンテンツの音場処理設定情報を取得し、取得した音場処理設定情報に基づいて、ＤＳＰパラメータを設定する。
【先行技術文献】
【特許文献】
【０００３】
【特許文献１】特開２００６−２９５３６７号公報
【発明の概要】
【発明が解決しようとする課題】
【０００４】
特許文献１に記載の技術では、例えばサーバ管理者によって、音声コンテンツ毎の音場処理設定情報がデータベースに記憶される。よって、各音声コンテンツの音場処理設定情報の選定は、サーバ管理者の主観によるところが大きい。しかし、音響に関する好みは、音声コンテンツを利用するユーザによって様々である。また、ユーザが使用する音響機器において、設定可能なＤＳＰパラメータが多様化すると、多くのユーザが好む音響効果を得るための音場処理設定情報を、予めデータベースに記憶しておくことが、まずます困難となる可能性がある。
本発明は、上述した背景の下になされたものであり、再生されるコンテンツの各々について、ユーザが好む音響効果を得るための音響処理を指定するパラメータを設定しやすくすることを目的とする。
【課題を解決するための手段】
【０００５】
上述した課題を解決するため、本発明の音響制御装置は、再生したコンテンツの音響信号に、所定の音響処理を施す音響処理手段に対して、前記音響処理を指定するパラメータを設定する音響制御装置であって、再生対象のコンテンツを指定して、前記パラメータを入力する操作を受け付ける入力受付手段と、複数の音響制御装置における前記パラメータの設定状況を、当該パラメータにより前記音響処理が施されたコンテンツのメタデータと対応付けてデータベースで管理するサーバ装置と通信し、前記再生対象のコンテンツに関する前記パラメータを受け付ける受付手段と、前記入力されたパラメータ、又は前記サーバ装置から受け付けたパラメータを、前記音響処理手段に対して設定する設定手段と、設定された前記パラメータを特定するパラメータ情報を、前記コンテンツのメタデータと対応付けて、所定のタイミングで前記サーバ装置へ送信する送信手段とを備える。
【０００６】
本発明の音響制御装置において、前記サーバ装置から受け付けた前記パラメータの選択肢を提示する提示手段と、提示された前記選択肢の中から、前記設定手段に設定させる前記パラメータの選択肢を選択する操作を受け付ける選択受付手段とを備え、前記提示手段は、前記再生対象のコンテンツの再生環境に応じて、前記パラメータの選択肢の提示を変化させてもよい。
本発明の音響制御装置において、前記メタデータとして、コンテンツの識別子と、当該コンテンツの属性情報とがあり、前記サーバ装置から受け付けた前記パラメータの選択肢を提示する提示手段と、提示された前記選択肢の中から、前記設定手段に設定させる前記パラメータの選択肢を選択する操作を受け付ける選択受付手段とを備え、前記提示手段は、前記データベースにおいて、前記再生対象のコンテンツの識別子に対応付けられた前記パラメータの選択肢を、前記属性情報に対応付けられた前記パラメータの選択肢よりも優先して、提示してもよい。
【０００７】
本発明のサーバ装置は、再生したコンテンツの音響信号に、所定の音響処理を施す音響処理手段に対して、操作により入力された、又は自サーバ装置が通知した前記音響処理を指定するパラメータを設定する複数の音響制御装置の各々と、ネットワークを介して接続されるサーバ装置であって、前記複数の音響制御装置の各々から、設定した前記パラメータを特定するパラメータ情報を、前記コンテンツのメタデータと対応付けて受信する受信手段と、前記受信された前記パラメータ情報に基づいて、前記メタデータと対応付けて、前記複数の音響制御装置における前記パラメータの設定状況を、データベースで管理するデータベース管理手段と、前記複数の音響制御装置における、再生対象のコンテンツを特定する特定手段と、前記データベースを参照して、特定された前記再生対象のコンテンツに関する前記パラメータの設定状況に応じて、前記パラメータを、前記複数の音響制御装置に通知する通知手段とを備える。
【０００８】
本発明のプログラムは、再生したコンテンツの音響信号に、所定の音響処理を施す音響処理手段に対して、前記音響処理を指定するパラメータを設定する音響制御装置のコンピュータに、再生対象のコンテンツを指定して、前記パラメータを入力する操作を受け付けるステップと、複数の音響制御装置における前記パラメータの設定状況を、当該パラメータにより前記音響処理が施されたコンテンツのメタデータと対応付けてデータベースで管理するサーバ装置と通信し、前記再生対象のコンテンツに関する前記パラメータを受け付けるステップと、前記入力されたパラメータ、又は前記サーバ装置から受け付けたパラメータを、前記音響処理手段に対して設定するステップと、前記設定された前記パラメータを特定するパラメータ情報を、前記コンテンツのメタデータと対応付けて、所定のタイミングで前記サーバ装置へ送信するステップとを実行させるためのプログラムである。
【発明の効果】
【０００９】
本発明によれば、再生されるコンテンツの各々について、ユーザが好む音響効果を得るための音響処理を指定するパラメータを設定しやすくすることできる。
【図面の簡単な説明】
【００１０】
【図１】本発明の一実施形態に係る音響システムの全体構成を示す図。
【図２】同実施形態のサーバ装置及び音響再生装置の構成を示すブロック図。
【図３】同実施形態の音響データベースの構成例を示す図。
【図４】同実施形態の音響システムのＤＳＰパラメータが入力設定されるときの動作を示すシーケンス図。
【図５】同実施形態の音響システムのＤＳＰパラメータが選択設定されるときの動作を示すシーケンス図。
【図６】同実施形態のＤＳＰパラメータの選択肢の提示例を示す図。
【発明を実施するための形態】
【００１１】
以下、図面を参照して本発明の一実施形態を説明する。
図１は、本実施形態に係る音響システム１の全体構成を示す図である。音響システム１は、サーバ装置１０と、複数の音響再生装置２０（２０Ａ，２０Ｂ）とを備える。サーバ装置１０と、複数の音響再生装置２０とは、ネットワーク１００を介して接続される。ネットワーク１００は、例えばインターネットを含む通信回線である。
なお、図１には、複数の音響再生装置２０のうち、音響再生装置２０Ａ，２０Ｂの２台が示されているが、実際には３台以上存在する。
【００１２】
サーバ装置１０は、複数の音響再生装置２０の各々に対して、設定すべきＤＳＰパラメータを、ネットワーク１００経由で通知する。ＤＳＰパラメータは、ＤＳＰによって音響信号に施される音響処理を指定するパラメータである。音響処理とは、所定の音響効果を得るために、音響信号に施される信号処理をいう。本実施形態の音響処理として、音響信号の周波数特性を補正する周波数補正（イコライズ）と、所定の音場を再現する音場処理とがある。
【００１３】
音響再生装置２０は、サーバ装置１０に対するクライアント装置に相当する。音響再生装置２０は、音響コンテンツを再生する装置で、自装置における音響コンテンツの再生を制御する音響制御装置として機能する。音響コンテンツは、音響信号を生成するためのコンテンツで、本実施形態では、楽曲を表すコンテンツである。
なお、音響再生装置２０は、ここではスマートフォン又はタブレット型コンピュータであるが、携帯型音楽プレーヤやモバイルコンピュータ等の他の携帯型の装置、又はパーソナルコンピュータやＡＶアンプ等の据置型の装置であってもよい。
【００１４】
図２は、サーバ装置１０及び音響再生装置２０の構成を示すブロック図である。図２に示すように、音響再生装置２０は、ハードウェア構成として、制御部２１と、ＵＩ（User Interface）部２２と、通信部２３と、記憶部２４と、ＤＳＰ２５と、アンプ２６と、スピーカ２７とを備える。
制御部２１は、例えばＣＰＵ（Central Processing Unit）、ＲＯＭ（Read Only Memory）及びＲＡＭ（Random Access Memory）を備えたマイクロコンピュータで、音響再生装置２０の各部を制御する制御手段である。
【００１５】
ＵＩ部２２は、表示部２２１と、操作部２２２とを備えたユーザインタフェースである。表示部２２１は、例えば液晶ディスプレイで、各種の画像を表示する表示手段である。操作部２２２は、例えば、表示部２２１の表示領域に重ねて設けられたタッチセンサや物理キーを備え、ユーザにより操作される操作手段である。通信部２３は、例えば無線通信回路及びアンテナを備え、ネットワーク１００に接続して通信する通信手段である。
【００１６】
記憶部２４は、例えばＥＥＰＲＯＭ（Electronically Erasable and Programmable ROM）又はフラッシュメモリを備え、各種のデータを記憶する記憶手段である。記憶部２４は、制御部２１により実行されるプログラム、及び音響コンテンツ２４１を記憶する。音響コンテンツ２４１は、例えば、所定のｗｅｂページ経由でダウンロードされた音響コンテンツ、又はＣＤ（Compact Disk）等の記録メディアから取り込まれた音響コンテンツであるが、これらの例に限られない。
【００１７】
ＤＳＰ２５は、設定されたＤＳＰパラメータに基づいて、再生した音響コンテンツの音響信号に、所定の音響処理を施す音響処理手段である。具体的には、ＤＳＰ２５は、再生対象の音響コンテンツ２４１から生成されたデジタル形式の音響信号に対して、音響処理を施す。
【００１８】
アンプ２６は、ＤＳＰ２５により音響処理が施された後の音響信号が、アナログ形式に変換された後、この変換後の音響信号を増幅して出力する出力手段である。スピーカ２７は、アンプ２６から出力された音響信号が表す音を放射（放音）する放音手段である。スピーカ２７は、ここでは、Ｌ、Ｒの２チャンネルに対応して設けられているが、この例に限られない。
【００１９】
サーバ装置１０は、ハードウェア構成として、制御部１１と、通信部１２と、記憶部１３とを備える。
制御部１１は、ＣＰＵ、ＲＯＭ及びＲＡＭを備えたマイクロコンピュータである。ＣＰＵは、ＲＯＭに記憶されたプログラム又は記憶部１３に記憶されたプログラムをＲＡＭに読み出して実行することにより、サーバ装置１０の各部を制御する制御手段である。通信部１２は、例えばモデムを備え、ネットワーク１００に接続して通信する通信手段である。記憶部１３は、例えばハードディスク装置を備え、制御部１１により実行されるプログラム、及び音響データベース１３１を記憶する記憶手段である。音響データベース１３１は、複数の音響コンテンツの各々について、複数の音響再生装置２０におけるＤＳＰパラメータの設定状況を特定するためのデータが登録されたデータベースである。
【００２０】
図３は、音響データベース１３１の構成例を示す図である。図３に示すように、音響データベース１３１では、音響コンテンツ毎に、メタデータと、パラメータ情報と、設定スコアとが対応付けられている。
音響コンテンツのメタデータとしては、ここでは、音響コンテンツを一意に識別する識別子と、この音響コンテンツの属性を示す属性情報とがある。音響コンテンツの属性情報としては、ここでは、音響コンテンツの名称であるコンテンツ名（ここでは楽曲名）、音響コンテンツが収録されたアルバムのアルバム名、歌唱者又は演奏者の名称であるアーティスト名、音響コンテンツの発売（リリース）年、及び音響コンテンツが属するジャンルの各情報がある。
【００２１】
パラメータ情報は、ＤＳＰパラメータを特定する情報である。パラメータ情報は、ここでは、周波数補正モード、＃１〜＃５、及び音場所モードという、複数種類のＤＳＰパラメータを特定する。
周波数補正モードは、所定の周波数（帯域）毎に、信号のレベルの補正量を指定した周波数補正のモードである。周波数補正モードとしては、例えばロックやポップス、ジャズがあり、再生対象の音響コンテンツのジャンルに合ったモードが選択されることが多い。＃１〜＃５は、周波数補正モードで指定された補正量が調整された場合の調整量である。＃１〜＃５は、それぞれ異なる周波数（帯域）に対応し、周波数補正モードで指定された補正量からの相対的な変化量で表される。音場モードは、リバーブエフェクトの種類を指定した音場処理のモードである。音場モードとしては、例えばスタジオやコンサートホール（以下「ホール」と称す。）、チャーチ、クラブがあり、音響コンテンツのユーザの嗜好に合ったモードが選択される。
【００２２】
設定スコアは、複数の音響再生装置２０における、パラメータ情報によって特定されるＤＳＰパラメータの設定状況を示すスコアである。設定スコアは、ここでは、ＤＳＰパラメータが設定された機会が多いほど、大きな値をとる。本実施形態の設定スコアは、このＤＳＰパラメータを設定した音響再生装置２０の数、即ち、このＤＳＰパラメータを使用したユーザの数により特定されてもよい。このため、設定スコアが大きいパラメータ情報ほど、多くのユーザが好んで使用し、人気度が高いＤＳＰパラメータを特定することとなる。
【００２３】
次に、図２を参照してサーバ装置１０及び音響再生装置２０の機能構成を説明する。音響再生装置２０の制御部２１は、プログラムを実行することにより、入力受付部２１１と、問い合わせ部２１２と、通知受付部２１３と、提示部２１４と、選択受付部２１５と、設定部２１６と、解析部２１７と、送信部２１８とに相当する機能を実現する。
入力受付部２１１は、操作部２２２を介して、再生対象の音響コンテンツ２４１を指定して、ＤＳＰパラメータを入力する操作を受け付ける入力受付手段である。このＤＳＰパラメータの入力は、サーバ装置１０から通知されるＤＳＰパラメータを使用しないで、ユーザの操作によって行われる。再生の対象となる音響コンテンツ２４１は、再生中の音響コンテンツであってもよいし、これから再生される音響コンテンツであってもよい。
【００２４】
問い合わせ部２１２は、設定すべきＤＳＰパラメータを、通信部２３を介して、サーバ装置１０へ問い合わせる問い合わせ手段である。この際に、問い合わせ部２１２は、再生対象の音響コンテンツ２４１を指定して、サーバ装置１０へ問い合わせる。
通知受付部２１３は、通信部２３を介してサーバ装置１０と通信し、サーバ装置１０から通知されたＤＳＰパラメータを受け付ける受付手段（通知受付手段）である。
提示部２１４は、サーバ装置１０から通知されたＤＳＰパラメータの選択肢を、表示部２２１を介して提示する提示手段である。
選択受付部２１５は、提示部２１４により提示されたＤＳＰパラメータの選択肢の中から、操作部２２２を介して、設定部２１６に設定させるＤＳＰパラメータの選択肢を選択する操作を受け付ける選択受付手段である。
【００２５】
設定部２１６は、入力受付部２１１により入力されたＤＳＰパラメータ、又は選択受付部２１５により選択肢を選択する操作が受け付けられたＤＳＰパラメータを、ＤＳＰ２５に対して設定する設定手段である。設定部２１６は、音響コンテンツ２４１が再生されたときに、これに対応するＤＳＰパラメータを設定する。
解析部２１７は、記憶部２４から再生対象の音響コンテンツ２４１を取得し、解析する解析手段である。具体的には、解析部２１７は、音響コンテンツ２４１を解析して音響信号を生成して、ＤＳＰ２５に供給（出力）する。また、解析部２１７は、音響コンテンツ２４１を解析して得たメタデータを、送信部２１８に供給する。
送信部２１８は、設定部２１６により設定されたＤＳＰパラメータを特定するパラメータ情報を、このＤＳＰパラメータにより音響処理が施された音響コンテンツ２４１のメタデータと対応付けて、通信部２３を介して、所定のタイミングでサーバ装置１０へ送信する送信手段である。
【００２６】
サーバ装置１０の制御部１１は、プログラムを実行することにより、受信部１１１と、ＤＢ（Data Base）管理部１１２と、特定部１１３と、通知部１１４とに相当する機能を実現する。
受信部１１１は、通信部１２を介して、複数の音響再生装置２０の送信部２１８から送信されたパラメータ情報を、音響コンテンツのメタデータと対応付けて受信する受信手段である。
ＤＢ管理部１１２は、受信部１１１により受信されたパラメータ情報及びメタデータに基づいて、複数の音響再生装置２０におけるＤＳＰパラメータの設定状況を、音響データベース１３１で管理するデータベース管理手段である。
特定部１１３は、複数の音響再生装置２０における、再生対象の音響コンテンツ２４１を特定する特定手段である。特定部１１３は、ここでは、問い合わせ部２１２からの問い合わせに基づいて、再生対象の音響コンテンツ２４１として特定する。
通知部１１４は、音響データベース１３１を参照して、再生対象の音響コンテンツ２４１に関するＤＳＰパラメータの設定状況に応じて、ＤＳＰパラメータを、通信部１２を介して、複数の音響再生装置２０に通知する通知手段である。
【００２７】
次に、音響システム１の動作を説明する。
＜ＤＳＰパラメータが入力設定される場合の動作＞
まず、音響システム１のＤＳＰパラメータが入力設定されるときの動作を説明する。ＤＳＰパラメータの入力設定とは、ユーザの操作により音響再生装置２０に入力されたＤＳＰパラメータが、ＤＳＰ２５に対して設定されることをいう。
【００２８】
図４は、音響システム１のＤＳＰパラメータが入力設定されるときの動作を示すシーケンス図である。
まず、音響再生装置２０の解析部２１７は、再生対象の音響コンテンツ２４１を記憶部２４から取得して、これを解析し、メタデータ（例えば識別子「ＩＤ０００１」）を得て、送信部２１８へ供給する一方、音響コンテンツの音響信号をＤＳＰ２５へ供給する。（ステップＳＡ１）。解析部２１７は、例えば、ユーザが操作部２２２を操作して指定した音響コンテンツ２４１を、再生対象とする。
【００２９】
次に、入力受付部２１１は、再生対象の音響コンテンツ２４１を指定して、ＤＳＰパラメータを入力する操作を受け付ける（ステップＳＡ２）。ユーザは、例えば、表示部２２１に表示されたＤＳＰパラメータの入力画面を閲覧しながら、周波数補正モード、＃１〜＃５、及び音場モードの各ＤＳＰパラメータを入力する操作を行う。
【００３０】
次に、設定部２１６は、ステップＳＡ２で入力されたＤＳＰパラメータを、ＤＳＰ２５に対して設定する（ステップＳＡ３）。ＤＳＰ２５は、設定されたＤＳＰパラメータに基づいて、解析部２１７から供給された音響信号に、周波数補正及び音場処理を含む音響処理を施す。アンプ２６は、ＤＳＰ２５による音響処理後の音響信号が、アナログ形式に変換された後、この変換後の音響信号を増幅して出力する。スピーカ２７は、アンプ２６から出力された音響信号が表す音を放射する。
【００３１】
次に、送信部２１８は、ステップＳＡ３で設定されたＤＳＰパラメータを特定するパラメータ情報を、解析部２１７から供給されたメタデータと対応付けて、通信部２３を介してサーバ装置１０へ送信する（ステップＳＡ４）。ステップＳＡ４で、送信部２１８は、例えば音響コンテンツが所定時間再生された、又は最後まで再生されたタイミングで、ＤＳＰ２５に設定されているＤＳＰパラメータを送信する。送信部２１８は、メタデータとして、少なくとも音響コンテンツ２４１の識別子（ここでは「ＩＤ０００１」）を送信する。
【００３２】
サーバ装置１０の受信部１１１は、通信部１２を介して、送信部２１８により送信されたパラメータ情報を、メタデータと対応付けて受信する（ステップＳＡ５）。
次に、ＤＢ管理部１１２は、受信したパラメータ情報及びメタデータに基づいて、音響データベース１３１を更新する（ステップＳＡ６）。
ステップＳＡ６において、ＤＢ管理部１１２は、受信したパラメータ情報に一致するパラメータ情報が未登録の場合には、受信したメタデータの識別子に対応付けて、このパラメータ情報を新規に登録する。また、ＤＢ管理部１１２は、このパラメータ情報に対応付けられた設定スコアを「１」とする。この際に、ＤＢ管理部１１２は、音響コンテンツのメタデータのうちの属性情報を、図示せぬ所定サーバ装置から取得するか、又は音響再生装置２０から取得してもよい。
【００３３】
他方、ＤＢ管理部１１２は、受信したパラメータ情報に完全に一致するパラメータ情報が既に登録されていた場合には、受信したメタデータの識別子「ＩＤ０００１」に対応付けられた設定スコアを、「１」だけインクリメントする。この際、ＤＢ管理部１１２は、或るメタデータ及びパラメータ情報の組み合わせに対して、１台の音響再生装置２０（又は１人のユーザ）につき１回だけ、設定スコアをインクリメントしてもよい。
【００３４】
＜ＤＳＰパラメータが選択設定される場合の動作＞
次に、音響システム１のＤＳＰパラメータが選択設定されるときの動作を説明する。ＤＳＰパラメータの選択設定とは、サーバ装置１０から通知されたＤＳＰパラメータを用いて、ＤＳＰ２５に対してＤＳＰパラメータを設定されることをいう。
【００３５】
図５は、音響システム１のＤＳＰパラメータが選択設定されるときの動作を示すシーケンス図である。
まず、音響再生装置２０の問い合わせ部２１２は、再生対象の音響コンテンツ２４１の音響処理に関して設定すべきＤＳＰパラメータを、通信部２３を介して、サーバ装置１０へ問い合わせる（ステップＳＢ１）。この際、問い合わせ部２１２は、少なくとも、再生対象の音響コンテンツ２４１の識別子を送信する。ここでは、再生対象の音響コンテンツ２４１が、識別子「ＩＤ０００１」の音響コンテンツ２４１であるものとする。
【００３６】
サーバ装置１０の特定部１１３は、問い合わせ部２１２からの問い合わせを、通信部１２を介して受け付けると、音響再生装置２０から受信した識別子に基づいて、再生対象の音響コンテンツ２４１を特定する（ステップＳＢ２）。
【００３７】
次に、通知部１１４は、音響データベース１３１を参照して、特定された再生対象の音響コンテンツ２４１の識別子に対応付けられたパラメータ情報と、そのパラメータ情報に関する設定スコアとに基づいて、通信部１２を介して、音響再生装置２０にＤＳＰパラメータを通知する（ステップＳＢ３）。通知部１１４は、ここでは、パラメータ情報と、このパラメータ情報に関する設定スコアとを、音響再生装置２０へ送信する。
なお、通知部１１４は、例えば、設定スコアが閾値（例えば、１又は２以上）以上である全てのパラメータ情報のＤＳＰパラメータを通知してもよいし、設定スコアが大きい順に所定数のパラメータ情報のＤＳＰパラメータを通知してもよい。
【００３８】
音響再生装置２０の通知受付部２１３は、サーバ装置１０から、通信部２３を介して設定すべきＤＳＰパラメータを受け付ける（ステップＳＢ４）。ここでは、通知受付部２１３は、パラメータ情報及び設定スコアを、音響再生装置２０から受信する。
次に、提示部２１４は、サーバ装置１０から通知されたＤＳＰパラメータの選択肢を、表示部２２１を介して提示する（ステップＳＢ５）。提示部２１４は、ここでは、受信されたパラメータ情報によって特定されるＤＳＰパラメータの選択肢を、受信された設定スコアに基づいて提示する。
【００３９】
図６は、ＤＳＰパラメータの選択肢の提示例を示す図である。
図６に示す提示例では、ＤＳＰパラメータの選択肢Ｍ１〜Ｍ５が、表示部２２１に表示されている。選択肢Ｍ１〜Ｍ５の各々には、一のパラメータ情報によって特定されるＤＳＰパラメータを意味する文字列が記されている。また、選択肢Ｍ１〜Ｍ５の各々には、設定スコアの順位を意味する文字列が記されている。選択肢Ｍ１〜Ｍ５の表示位置は、設定スコアに基づいて決定されている。具体的には、設定スコアが大きいパラメータ情報のＤＳＰパラメータの選択肢ほど、上位に表示される。
【００４０】
ＤＳＰパラメータの選択肢の提示を閲覧したユーザは、再生対象の音響コンテンツ２４１の音響処理に関して設定すべきＤＳＰパラメータを、複数の音響再生装置２０で設定された機会の多さの順（人気度）とともに、把握することができる。設定された機会が多いＤＳＰパラメータほど、音響再生装置２０のユーザがそれを好む可能性が高いと推定される。
なお、図６で説明した提示方法は、あくまで一例である。ただし、提示部２１４は、設定スコアが大きいパラメータ情報に対応するＤＳＰパラメータの選択肢ほど、より少ない操作で（例えば、操作回数を少なくして）ユーザが選択し得るように提示することが望ましい。
【００４１】
図５に戻り、選択受付部２１５は、提示部２１４により提示されたＤＳＰパラメータの選択肢の中から、ユーザが行った操作部２２２の操作により、いずれかのＤＳＰパラメータの選択肢を選択する操作を受け付ける（ステップＳＢ６）。
次に、設定部２１６は、ステップＳＢ６で選択された選択肢のＤＳＰパラメータを、ＤＳＰ２５に対して設定する（ステップＳＢ７）。ステップＳＢ７において、設定部２１６は、例えば、選択された選択肢のＤＳＰパラメータをそのまま、ＤＳＰ２５に対して設定する。又は、提示部２１４が、選択された選択肢のＤＳＰパラメータを、表示部２２１を介して提示し、このＤＳＰパラメータを調整する操作が、入力受付部２１１により受け付けられてもよい。この場合、設定部２１６は、この操作に応じて変更されたＤＳＰパラメータを、ＤＳＰ２５に対して設定する。
【００４２】
次に、送信部２１８は、設定部２１６により設定されたＤＳＰパラメータを特定するパラメータ情報を、このＤＳＰパラメータにより音響処理が行われた音響コンテンツ２４１のメタデータと対応付けて、通信部２３を介して、サーバ装置１０へ送信する（ステップＳＢ８）。ステップＳＢ８で、送信部２１８は、例えば音響コンテンツが所定時間再生された、又は最後まで再生されたタイミングで、ＤＳＰ２５に設定されているＤＳＰパラメータを送信する。送信部２１８は、ここでは、メタデータとして、音響コンテンツ２４１の識別子「ＩＤ０００１」を少なくとも送信する。
そして、サーバ装置１０の受信部１１１は、通信部１２を介して、送信部２１８により送信されたパラメータ情報を、メタデータと対応付けて受信する（ステップＳＢ９）。次に、ＤＢ管理部１１２は、受信したパラメータ情報及びメタデータに基づいて、音響データベース１３１を更新する（ステップＳＢ１０）。
ステップＳＢ８〜ＳＢ１０の各処理は、大略、ステップＳＡ４〜ＳＡ６で説明した処理と同じである。ただし、ステップＳＢ６で選択されたＤＳＰパラメータの選択肢に対応するパラメータ情報は、既に音響データベース１３１に登録されている。よって、ステップＳＢ１０では、ＤＢ管理部１１２は、既に登録されたパラメータ情報に関する設定スコアを「１」だけインクリメントする。
【００４３】
以上説明したとおり、サーバ装置１０は、再生される音響コンテンツの各々について、複数の音響再生装置２０におけるＤＳＰパラメータの設定状況を管理し、再生対象となる音響コンテンツに関するＤＳＰパラメータの設定状況に応じて、設定すべきＤＳＰパラメータを、音響再生装置２０に通知する。音響システム１によれば、音響再生装置２０のユーザが音響に関する知識を十分に有しない場合でも、複数の音響再生装置２０から複数のＤＳＰパラメータ設定が、サーバ装置１０に自動的に蓄積されていくので、ユーザが好む音響効果を得るためのＤＳＰパラメータを設定しやすくすることができる。
【００４４】
本発明は、上述した実施形態と異なる形態で実施することが可能である。本発明は、例えば、以下のような形態で実施することも可能である。また、以下に示す変形例は、各々を適宜に組み合わせてもよい。
（変形例１）
音響再生装置２０の提示部２１４は、再生対象の音響コンテンツの再生環境に応じて、ＤＳＰパラメータの選択肢の提示を変化させてもよい。音響コンテンツの再生環境は、例えば、音響コンテンツが再生されるときの音響再生装置２０の状態によって特定される。
【００４５】
音響コンテンツの再生環境の一例として、音響再生装置２０が有する放音に関する放音機能がある。音響再生装置２０の放音機能として、例えば、音響再生装置２０が対応しているチャンネルに関する環境（例えば、チャンネルの種類や数）や、使用するスピーカ２７に関する環境（例えば、スピーカの種類や数）がある。音響再生装置２０の放音機能の別の例として、設定可能なＤＳＰパラメータがある。設定可能なＤＳＰパラメータは、例えば、設定可能なＤＳＰパラメータのモードや種類によって特定される。
【００４６】
この場合、音響再生装置２０からサーバ装置１０へ送信されるメタデータには、音響再生装置２０の放音機能を特定する情報（例えば、音響再生装置２０の機種や型番）が含まれている。通知部１１４は、音響データベース１３１に登録されたパラメータ情報のうち、メタデータに基づいて、音響再生装置２０の放音環境で利用可能なパラメータ情報を特定する。そして、通知部１１４は、特定したパラメータ情報のＤＳＰパラメータを、音響再生装置２０に通知する。この通知に応じて、提示部２１４は、自装置における放音機能で利用可能なＤＳＰパラメータの選択肢を提示し、利用不可のＤＳＰパラメータの選択肢を提示しない（即ち、フィルタする）。
【００４７】
音響コンテンツの再生環境の別の例として、季節や日にち、時刻等の時間的要素に関する環境、又は、国や地域等の位置的要素（場所的要素）に関する環境がある。
この場合も、音響再生装置２０からサーバ装置１０へ送信されるメタデータには、音響コンテンツの再生環境の情報を特定する情報が含まれるようにする。そして、通知部１１４は、音響データベース１３１に登録されたパラメータ情報のうち、音響再生装置２０における音響コンテンツの再生環境と一致（完全一致又は部分一致）するパラメータ情報を特定して、設定すべきＤＳＰパラメータを、音響再生装置２０に通知するとよい。
【００４８】
以上の説明では、通知部１１４が、音響コンテンツの再生環境に応じて、提示部２１４に提示させるＤＳＰパラメータの選択肢を特定（フィルタ）していた。これに代えて、通知部１１４は、上述した実施形態と同じ方法でＤＳＰパラメータを通知し、提示部２１４が、音響コンテンツの再生環境に応じて、提示するＤＳＰパラメータの選択肢を特定してもよい。
この変形例の音響システム１によれば、音響コンテンツの再生環境に基づいて、音響再生装置２０がＤＳＰパラメータの選択肢を提示することにより、音響再生装置２０又はそのユーザの状況に適したＤＳＰパラメータを、ユーザに設定させやすくすることができる。
【００４９】
（変形例２）
音響再生装置２０の提示部２１４は、音響データベース１３１において、再生対象の音響コンテンツ２４１の識別子に対応付けられたパラメータ情報のＤＳＰパラメータの選択肢を、属性情報に対応付けられたパラメータ情報のＤＳＰパラメータの選択肢よりも優先して、提示してもよい。特定のＤＳＰパラメータの選択肢を優先して提示する場合には、提示部２１４は、この選択肢を、他のＤＳＰパラメータの選択肢よりもより少ない操作で選択し得るように提示するか、又は、他のＤＳＰパラメータの選択肢を提示しないようにする。
【００５０】
この変形例で、通知部１１４は、音響データベース１３１において、再生対象の音響コンテンツ２４１の識別子に対応付けられたパラメータ情報のＤＳＰパラメータを、音響再生装置２０に通知することを基本とする。そして、再生対象の音響コンテンツ２４１の識別子に対応付けられたパラメータ情報が存在しない場合、又は閾値数未満の場合には、通知部１１４は、属性情報に基づいて他の音響コンテンツのパラメータ情報を特定し、設定すべきＤＳＰパラメータを、音響再生装置２０に通知する。例えば、通知部１１４は、同一のアルバム内の他の音響コンテンツ、同一の又は類似のアーティストの他の音響コンテンツ、同一の又は類似の発売年の他の音響コンテンツ、又は、同一のジャンルの他の音響コンテンツに対応付けられたパラメータ情報のＤＳＰパラメータを通知する。この際に、通知部１１４は、再生対象の音響コンテンツと一致する属性情報の数が多いパラメータ情報のＤＳＰパラメータを通知してもよいし、特定の属性情報が一致するパラメータ情報のＤＳＰパラメータを通知してもよい。
この変形例の音響システム１によれば、再生対象の音響コンテンツ２４１の識別子に対応付けて、音響データベース１３１にパラメータ情報が登録されていない場合であっても、音響再生装置２０のユーザの好む音響効果を得るためのＤＳＰパラメータを、ユーザに設定させやすくすることができる。
【００５１】
（変形例３）
音響再生装置２０の設定部２１６は、或る選択肢のＤＳＰパラメータを、ＤＳＰ２５に設定した後、音響コンテンツ２４１の再生中に、他の選択肢のＤＳＰパラメータに変更する操作がユーザにより行われた場合には、この他の選択肢のＤＳＰパラメータの設定に変更してもよい。
例えば、ユーザは、設定されたＤＳＰパラメータに基づいて音響コンテンツが再生されているときに、音響効果が自分の好みでないと判断した場合や、他の音響効果を試したいと考えた場合に、ＤＳＰパラメータの変更を指示する操作を、操作部２２２に対して行う。この操作は、特定の選択肢を選択する操作であってもよいし、特定の選択肢を選択する操作でなくてもよい。後者の場合、設定部２１６は、所定の規則に従って、他の選択肢のＤＳＰパラメータを、ＤＳＰ２５に対して設定する。例えば、設定部２１６は、ユーザの操作に応じて、設定スコアが大きい順に、ＤＳＰパラメータの設定を順次変更してもよい。
この変形例の音響システム１によれば、ユーザの好む音響効果を得るためのＤＳＰパラメータを、ユーザに設定させやすくすることができる。
【００５２】
（変形例４）
設定スコアは、ＤＳＰパラメータを設定した音響再生装置２０の数以外の設定状況に基づいて、算出されてもよい。設定スコアは、例えば、ＤＳＰパラメータを設定して音響コンテンツが再生された時間に基づいて算出されてもよい。この場合、送信部２１８は、音響コンテンツのメタデータ及びパラメータ情報のほかに、音響コンテンツの再生時間を特定する情報を、サーバ装置１０へ送信する。そして、ＤＢ管理部１１２は、受信された再生時間の情報に基づいて、音響データベース１３１の設定スコアを更新する。
また、ＤＢ管理部１１２は、音響再生装置２０で設定されたＤＳＰパラメータのうち、お気に入りのＤＳＰパラメータであるとユーザにより明示的に示されたものに基づいて、設定スコアを算出、更新してもよい。
また、ＤＢ管理部１１２は、音響コンテンツを最後まで再生された回数に基づいて、設定スコアを算出してもよい。
また、設定スコアは、ＤＳＰパラメータの入力設定に基づいて算出される一方で、ＤＳＰパラメータの選択設定の結果が反映されなくてもよい。
【００５３】
（変形例５）
通知部１１４は、音響再生装置２０のユーザの属性に基づいて、設定すべきＤＳＰパラメータを通知してもよい。
例えば、送信部２１８は、音響コンテンツのメタデータ及びパラメータ情報のほかに、自装置のユーザの属性を示すユーザ属性情報を、サーバ装置１０へ送信する。ユーザ属性情報は、例えば、ユーザの年齢や性別、好きな音楽のジャンル等の、ユーザの属性を示す情報である。ユーザ属性情報は、ユーザにより手動で入力されてもよいし、音響再生装置２０におけるデータ解析により判定されてもよい。
【００５４】
ＤＢ管理部１１２は、メタデータ及びパラメータ情報とともに受信したユーザ属性情報を、音響データベース１３１に登録する。問い合わせ部２１２は、サーバ装置１０にＤＳＰパラメータを問い合わせる際には、自装置のユーザのユーザ属性情報を送信する。そして、通知部１１４は、受信されたユーザ属性情報に対応付けられたパラメータ情報を特定し、設定すべきＤＳＰパラメータを、音響再生装置２０に通知する。この際、通知部１１４は、一致するユーザ属性情報の数が多いパラメータ情報、又は、特定のユーザ属性情報が一致するパラメータ情報のＤＳＰパラメータを優先して通知してもよい。
この変形例の音響システム１によれば，音響再生装置２０のユーザの嗜好に近い他のユーザにより設定された機会が多いＤＳＰパラメータを、設定させやすくすることができる。
【００５５】
（変形例６）
送信部２１８は、設定したＤＳＰパラメータを特定するパラメータ情報のうち、ユーザが送信を許可したパラメータ情報を送信し、この許可のないパラメータ情報を送信しないようにしてもよい。
解析部２１７は、記憶部２４に記憶された音響コンテンツ２４１に限られず、所定のコンテンツ配信サーバから配信（例えば、ストリーム配信）された音響コンテンツを解析してもよい。即ち、音響再生装置２０で再生対象となる音響コンテンツが記憶される記憶装置は、特に問わない。
音響再生装置２０において、問い合わせ部２１２に相当する機能が省略されてもよい。例えば、再生対象の音響コンテンツが、所定の配信サーバから音響再生装置２０にストリーム配信されている場合、特定部１１３は、この配信サーバと通信して、再生対象の音響コンテンツを特定してもよい。
音響再生装置２０において、提示部２１４及び選択受付部２１５に相当する機能が省略されてもよい。この場合、設定部２１６は、サーバ装置１０から通知されたＤＳＰパラメータの中から、設定スコアに応じたいずれかのＤＳＰパラメータ（例えば、設定スコアが１位のパラメータ情報のＤＳＰパラメータ）を選択して、ＤＳＰ２５に対して設定してもよい。
サーバ装置１０において、通知部１１４は、ステップＳＢ３で設定スコアを音響再生装置２０に送信しなくてもよい。例えば、提示部２１４がＤＳＰパラメータの提示方法を特定できる場合、この設定スコアの送信は不要である。
【００５６】
（変形例７）
本発明のコンテンツは、楽曲に対応したコンテンツに限られない。例えば、本発明のコンテンツは、映像コンテンツと同期して再生されるコンテンツ（例えば、映画の音声）であってもよいし、複数のチャンネルの音響コンテンツの各々に対応していてもよい。
本発明の音響処理を指定するパラメータは、前述した周波数補正モード、＃１〜＃５及び音場モードに限られず、一部のパラメータが省略されてもよいし、別のパラメータが含まれていてもよい。また、本発明の音響処理は、周波数補正や音場処理に限定されない。
本発明の音響制御装置は、コンテンツを再生して音響信号を生成する外部の音響機器の音響処理手段に対して、音響処理を指定するパラメータを設定してもよい。この音響制御装置は、外部の音響機器と通信することにより、音響処理を指定するパラメータを設定する。
【００５７】
（変形例８）
上述した実施形態のサーバ装置１０の制御部１１や音響再生装置２０の制御部２１が実現する機能は、複数のプログラムの組み合わせによって実現され、又は、複数のハードウェア資源の連係によって実現され得る。制御部１１や制御部２１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスクなど）、光磁気記録媒体、半導体メモリなどのコンピュータ読み取り可能な記録媒体に記憶した状態で提供されてもよいし、ネットワークを介して配信されてもよい。また、本発明は、音響処理を指定するパラメータの設定方法として把握することも可能である。
【符号の説明】
【００５８】
１…音響システム、１０…サーバ装置、１１…制御部、１１１…受信部、１１２…ＤＢ管理部、１１３…特定部、１１４…通知部、１２…通信部、１３…記憶部、１３１…音響データベース、２０，２０Ａ，２０Ｂ…音響再生装置、２１…制御部、２１１…入力受付部、２１２…問い合わせ部、２１３…通知受付部、２１４…提示部、２１５…選択受付部、２１６…設定部、２１７…解析部、２１８…送信部、２２…ＵＩ部、２２１…表示部、２２２…操作部、２３…通信部、２４…記憶部、２４１…音響コンテンツ、２５…ＤＳＰ、２６…アンプ、２７…スピーカ、１００…ネットワーク
【図１】
2016066832.tif 000003
【図２】
2016066832.tif 000004
【図３】
2016066832.tif 000005
【図４】
2016066832.tif 000006
【図５】
2016066832.tif 000007
【図６】
2016066832.tif 000008